(57)【要約】【課題】受診者および実施者の双方に負担を掛けることなく、効率的な適性診断を実施する。【解決手段】問診装置１１０、実技診断装置１２０、プリンタ１３０を含む自動運転適性診断装置１００を、任意の事業所に貸し出して設置し、問診装置１１０に実装された自動診断プログラム１４０の制御下で問診装置１１０（第１診断テストプログラム１５０）と実技診断装置１２０（第２診断テストプログラム１６０）を連携動作させ、タッチパネルディスプレイ１１３を用いた問診による診断テストと、実技診断装置１２０を用いた実技を含む診断テストを受診者が一人で行うことを可能にし、診断結果や助言をディスプレイ１２６や音声インタフェース１２６ａに出力することで、管理者の立ち会い等を不要にした。【選択図】  図１
2008083552.tif 000002
【特許請求の範囲】
【請求項１】
タッチパネルによって受診者から当該受診者の識別情報および問診情報を収集する第１診断装置と、
前記受診者の操作する操作盤を介して実技試験情報を収集する第２診断装置と、
前記問診情報および前記実技試験情報に基づいて運転適性診断情報を出力する自動診断プログラムと、
前記第１および第２診断装置の間における情報通信を行う通信手段と、
を含むことを特徴とする自動運転適性診断装置。
【請求項２】
請求項１記載の自動運転適性診断装置において、
前記第１診断装置は、質問文の前記タッチパネルへの表示および前記質問文に対する前記受診者の応答の検出によって前記問診情報の収集を実行する第１診断テストプログラムおよび前記自動診断プログラムを記憶する第１記憶手段と、前記第１診断テストプログラムおよび前記自動診断プログラムを実行する第１情報処理手段とを備えたことを特徴とする自動運転適性診断装置。
【請求項３】
請求項１記載の自動運転適性診断装置において、
前記第２診断装置は、前記操作盤を介して前記実技試験情報を収集する第２診断テストプログラムを記憶する第２記憶手段と、前記第２診断テストプログラムを実行する第２情報処理手段とを備えたことを特徴とする自動運転適性診断装置。
【請求項４】
請求項２記載の自動運転適性診断装置において、
前記質問文は、性格テスト、安全態度テスト、危険感受性テストの各々毎に設けられ、
第１診断テストプログラムは、個々の前記質問文の提示に対する前記受診者の「はい」、「いいえ」、「わからない」の各々の応答を数値化して、前記問診情報として出力することを特徴とする自動運転適性診断装置。
【請求項５】
請求項３記載の自動運転適性診断装置において、
前記実技試験情報は、平均見越反応時間を計測する平均見越反応時間計測テストと、重複作業における誤反応回数を計測する重複作業反応測定テストと、注意力の左右配分を評価する処置判断測定テストの各々の測定結果から得られることを特徴とする自動運転適性診断装置。
【請求項６】
請求項１記載の自動運転適性診断装置において、
前記運転適性診断情報を出力する前記自動診断プログラムは、
前記受診者の個人情報および当該受診者が所属する組織の組織情報を管理する診断情報登録・保持機能と、
前記問診情報および前記実技試験情報に基づいて前記運転適性診断情報を出力する診断結果処理機能と、
前記第１診断装置および前記第２診断装置を並行して稼働させる診断進行監視機能と、
を含むことを特徴とする自動運転適性診断装置。
【請求項７】
請求項６記載の自動運転適性診断装置において、
前記診断結果処理機能は、
前記問診情報を集計して第１換算値を決定し、前記第１換算値に基づいて前記運転適性診断情報としてコメントを決定する工程と、
前記実技試験情報を集計して第２換算値を決定し、前記第１および第２換算値に基づいて前記運転適性診断情報としてのコメントを決定する工程と、
前記第１および第２換算値に基づいて前記運転適性診断情報としての総合所見を決定する工程と、
を実行することを特徴とする自動運転適性診断装置。
【請求項８】
タッチパネルを備えた第１診断装置によって受診者から当該受診者の識別情報および問診情報を収集するステップと、
前記受診者の操作する操作盤を備えた第２診断装置を介して実技試験情報を収集するステップと、
前記問診情報および前記実技試験情報に基づいて運転適性診断情報を出力するステップと、
を含むことを特徴とする自動運転適性診断方法。
【発明の詳細な説明】
【技術分野】
【０００１】
本発明は、自動運転適性診断技術に関し、たとえば、事業用自動車を操縦する運転者等に関する運転適性診断等に適用して有効な技術に関する。
【背景技術】
【０００２】
たとえば、現在では、物流の大半はトラック輸送に依存しており、トラック等の事業用自動車を操縦する運転者等に対する運転適性診断および運転者に対する診断結果の告知は、事故の予防等の観点から一層重要性を増している。
【０００３】
従来、このような運転適性診断の実施方法としては、診断設備を備えた診断実施業者の集会所等に複数の運転者を集合させ、診断員の口頭指導の下で、マークシート等を用いた問診と、操作盤を用いた実技試験を行うことが知られている。
【０００４】
しかし、上述のように、特定の場所に多数の運転者を集合させるためには、複数の運転者に対する実施日程の周知や繰り合わせ、集合場所への移動、診断員の常駐、等の煩雑な手続きが必要となり、診断の実施者および運転者の双方の負担が大きく、効率的な運転適性診断が困難であった。
【０００５】
なお、特許文献１には、インターネットを介して個々の受診者が、端末から適性診断サーバにアクセスして資格等の適性診断を行う技術が開示されているが、特定のハードウェアを用いた実技的な試験を伴う適性診断は行うことができない。
【０００６】
また、診断結果も、サーバ側に集積され、受診者のみが知るだけであり、運転者の雇用者が診断情報を管理することもできない、という技術的課題もある。
【特許文献１】特開２００３−２２８６１４号公報
【発明の開示】
【発明が解決しようとする課題】
【０００７】
本発明の目的は、受診者および実施者の双方に負担を掛けることなく、効率的な適性診断を実施することが可能な自動適性診断技術を提供することにある。
本発明の他の目的は、特定のハードウェアを使用する実技試験を含む適性診断を効率的に実施することが可能な自動適性診断技術を提供することにある。
【課題を解決するための手段】
【０００８】
本発明の第１の観点は、タッチパネルによって受診者から当該受診者の識別情報および問診情報を収集する第１診断装置と、
前記受診者の操作する操作盤を介して実技試験情報を収集する第２診断装置と、
前記問診情報および前記実技試験情報に基づいて運転適性診断情報を出力する自動診断プログラムと、
前記第１および第２診断装置の間における情報通信を行う通信手段と、
を含む自動運転適性診断装置を提供する。
【０００９】
本発明の第２の観点は、タッチパネルを備えた第１診断装置によって受診者から当該受診者の識別情報および問診情報を収集するステップと、
前記受診者の操作する操作盤を備えた第２診断装置を介して実技試験情報を収集するステップと、
前記問診情報および前記実技試験情報に基づいて運転適性診断情報を出力するステップと、
を含む自動運転適性診断方法を提供する。
【発明の効果】
【００１０】
本発明によれば、受診者および実施者の双方に負担を掛けることなく、効率的な適性診断を実施することが可能となる。
また、特定のハードウェアを使用する実技試験を含む適性診断を効率的に実施することが可能となる。
【発明を実施するための最良の形態】
【００１１】
以下、図面を参照しながら、本発明の実施の形態について詳細に説明する。
図１は、本発明の一実施の形態である自動運転適性診断装置の構成の一例を示す概念図であり、図２は、本実施の形態の自動運転適性診断装置の作用の一例を示すシーケンス図である。
【００１２】
図１に例示されるように、本実施の形態の自動運転適性診断装置１００は、問診装置１１０、実技診断装置１２０、プリンタ１３０を含んでおり、これらは、後述のように無線ＬＡＮ等の通信インタフェースで相互に接続されている。
【００１３】
問診装置１１０は、たとえば、タッチパネル式パーソナルコンピュータ等で構成されている。すなわち、問診装置１１０は、マイクロプロセッサ１１１、主記憶１１２、タッチパネルディスプレイ１１３、外部記憶装置１１４、ネットワークインタフェース１１５、音声インタフェース１１６を含んでいる。
【００１４】
マイクロプロセッサ１１１は、主記憶１１２に格納されたソフトウェアを実行することで、問診装置１１０の全体を制御するとともに、後述のような適性診断機能を実現する。
主記憶１１２は、たとえば半導体メモリ等で構成され、マイクロプロセッサ１１１によって実行されるオペレーティングシステム（ＯＳ）や、当該ＯＳの配下で動作するソフトウェアが格納される。
【００１５】
本実施の形態の場合には、この主記憶１１２には、自動診断プログラム１４０、第１診断テストプログラム１５０等のソフトウェアや、当該ソフトウェアが使用するデータ等の情報が格納される。
【００１６】
タッチパネルディスプレイ１１３は、問診装置１１０におけるユーザとの間における情報の入出力を行うためのユーザインタフェースを提供する。たとえば、タッチパネルディスプレイ１１３に表示された各種のボタンの画像にユーザが触れることで簡易な情報の入力が可能となっている。
【００１７】
タッチパネルディスプレイ１１３には、マイクロフォンやヘッドフォン等からなる音声インタフェース１１６が設けられており、問診装置１１０のユーザに対する音声の入出力インタフェースが提供される。
【００１８】
外部記憶装置１１４は、ハードディスクドライブ（ＨＤＤ）や書き換え可能なＲＯＭ等の記憶媒体で構成され、自動診断プログラム１４０や、第１診断テストプログラム１５０等のソフトウェアが用いるデータが格納される。
【００１９】
本実施の形態の場合には、外部記憶装置１１４には、一例として、後述のような、質問ファイル２１０、尺度別採点盤作成テーブル２２０、換算値算出テーブル２３０、総合所見判定テーブル２４０、平均見越反応時間換算値テーブル２５０、誤反応回数換算値テーブル２６０、注意の配分換算値テーブル２７０および診断結果マスタファイル２８０等の情報が格納されている。
【００２０】
ネットワークインタフェース１１５は、実技診断装置１２０、プリンタ１３０との間における無線ＬＡＮによる通信インタフェースを提供する。
問診装置１１０に実装された上述の自動診断プログラム１４０は、診断情報登録・保持機能１４１、診断結果処理機能１４２、診断進行監視機能１４３を含んでいる。
【００２１】
また、第１診断テストプログラム１５０は、診断申込処理機能１５１、問診テスト機能１５２、を含んでいる。
なお、本実施の形態の問診装置１１０では、上述の各構成要素を、タッチパネルディスプレイ１１３の内部に内蔵したコンパクトな構成とすることができる。
【００２２】
一方、実技診断装置１２０は、マイクロプロセッサ１２１、主記憶１２２、外部記憶装置１２３、ネットワークインタフェース１２４、操作盤１２５、を含んでいる。
マイクロプロセッサ１２１は、主記憶１２２に格納されたソフトウェアを実行することで、実技診断装置１２０の全体を制御するとともに、後述のような所望の適性診断機能を実現する。
【００２３】
主記憶１２２は、マイクロプロセッサ１２１によって実行されるオペレーティングシステム（ＯＳ）や、その配下で稼働するソフトウェアが格納される。本実施の形態の場合には、主記憶１２２には、第２診断テストプログラム１６０が格納されている。
【００２４】
この第２診断テストプログラム１６０は、実技テスト機能１６１、自動助言機能１６２を含んでいる。
外部記憶装置１２３は、第２診断テストプログラム１６０の実行課程で発生するデータが一時的に格納される。
【００２５】
ネットワークインタフェース１２４は、問診装置１１０およびプリンタ１３０との間における無線ＬＡＮの通信インタフェースを提供する。
操作盤１２５は、ディスプレイ１２６および操作パネル１２７、ハンドル１２８、ペダル１２９を備えている。
【００２６】
ディスプレイ１２６には、ヘッドフォンやマイクロフォン等の音声インタフェース１２６ａが設けられている。
操作パネル１２７には、左手ボタン１２７ａ、右手ボタン１２７ｂ、数字ボタン１２７ｃ、はいボタン１２７ｄ、いいえボタン１２７ｅ、速度ボタン１２７ｆ、ボリューム１２７ｇ、が設けられている。
【００２７】
本実施の形態の場合には、実技診断装置１２０においては、平均見越反応時間を計測する平均見越反応時間計測テストＭ１と、重複作業における誤反応回数を計測する重複作業反応測定テストＭ２と、注意力の左右配分を評価する処置判断測定テストＭ３が実施可能になっている。
【００２８】
なお、実技診断装置１２０におけるマイクロプロセッサ１２１、主記憶１２２、外部記憶装置１２３、ネットワークインタフェース１２４は、操作盤１２５の内部に内蔵したコンパクトな構成とすることができる。
【００２９】
これにより、問診装置１１０および実技診断装置１２０、プリンタ１３０を含む本実施の形態の自動運転適性診断装置１００は、全体が持ち運びが容易なコンパクトな構成となるとともに、無線ＬＡＮインタフェースにて各装置が相互に接続されることにより、任意の設置場所での配置も自在となる。
【００３０】
従って、たとえば、本実施の形態の自動運転適性診断装置１００を個々の事業所等に貸し出して容易に設置して稼働させることが可能となる。
本実施の形態の場合、質問ファイル２１０は、図３、図４、図５、図６、図７、図８等に例示されるように、性格テスト（ＴＵＰＩ）のために、属性の異なる複数の第１質問文テーブル２１１（図３）、第２質問文テーブル２１２（図４）、第３質問文テーブル２１３（図５）、第４質問文テーブル２１４（図６）、第５質問文テーブル２１５（図７）、第６質問文テーブル２１６（図７）を含んでいる。
【００３１】
同様に、特に図示しないが、安全態度テスト（Ｓ）、危険感受性テスト（Ｒ）、の各々についても質問文が用意されている。
第１質問文テーブル２１１〜第６質問文テーブル２１６の各々は、質問番号２１０ａ、質問文２１０ｂ、応答別配点値２１０ｃが対応付けられて格納された共通の構成となっている。
【００３２】
質問番号２１０ａは、個々の質問文２１０ｂにユニークに付与された識別番号である。
質問文２１０ｂは、受診者に提示される質問文である。
応答別配点値２１０ｃは、対応する質問文２１０ｂに対する受診者の「はい」「いいえ」「わからない」等の応答の種別に応じた配点が設定されている。
【００３３】
図３に例示される第１質問文テーブル２１１には、受診者の感情の安定性（尺度Ｅ）を診断する複数の質問文２１０ｂが設定されている。
図４の第２質問文テーブル２１２には、受診者の協調性（尺度Ｃ）を診断するための質問文２１０ｂが設定されている。
【００３４】
図５に例示される第３質問文テーブル２１３には、受診者の気持ちのおおらかさ（尺度Ｇ）、を診断するための質問文２１０ｂが設定されている。
図６に例示される第４質問文テーブル２１４には、受診者の他人に対する好意（Ｄ尺度）を診断するための質問文２１０ｂが設定されている。
【００３５】
図７に例示される第５質問文テーブル２１５には、受診者の態度尺度（尺度Ａ）を測定するための質問文２１０ｂが設定されている。
図８に例示される第６質問文テーブル２１６には、受診者の職場・環境満足（尺度Ｓ）を診断するための質問文２１０ｂが設定されている。
【００３６】
図９に例示される尺度別採点盤作成テーブル２２０は、受診者が属する個々の事業者が、任意に、応答別配点値２１０ｃの重みを設定して、上述の第１質問文テーブル２１１〜第６質問文テーブル２１６の各々の質問文２１０ｂに対する尺度Ｅ〜尺度Ｓを評価するために用いられる。
【００３７】
この尺度別採点盤作成テーブル２２０は、上述の尺度Ｅ〜尺度Ｓの各々に対応した尺度項目２２１、該当質問番号２２２（質問番号２１０ａ）、応答別配点部２２３を含んでいる。
【００３８】
図１０に例示される換算値算出テーブル２３０は、上述の第１質問文テーブル２１１〜第６質問文テーブル２１６の各々の応答別配点値２１０ｃを集計することで、個々の尺度Ｅ〜尺度Ｓの各々の診断／評価に用いられる換算値を決定するテーブルである。
【００３９】
この換算値算出テーブル２３０は縦方向に尺度名２３１、横方向に換算値２３２、が設定され、尺度名２３１と、換算値２３２の交点の欄に粗点（応答別配点値２１０ｃの受診者の応答結果の総和）を判定する閾値が設定される。
【００４０】
同様に、特に図示しないが、安全態度テスト（Ｓ）、危険感受性テスト（Ｒ）、の各々についても換算値算出テーブルが用意されている。
図１１に例示される総合所見判定テーブル２４０は、上述の換算値算出テーブル２３０によって決定された尺度Ｅ〜尺度Ｓの各々の換算値２３２に基づいて、受診者に診断結果として提示すべき総合所見を決定するためのテーブルである。
【００４１】
すなわち、この総合所見判定テーブル２４０は、総合判定分類２４１、総合所見記載文章２４２、判定基準２４３を対応つけて格納した構成となっており、判定基準２４３で定義された条件に換算値２３２が合致する場合に、当該判定基準２４３に対応した総合所見記載文章２４２が総合所見として出力される。
【００４２】
図１２に例示される平均見越反応時間換算値テーブル２５０は、実技診断装置１２０において実施される平均見越反応時間計測テストＭ１の診断結果を評価するために用いられる。
【００４３】
すなわち、この平均見越反応時間換算値テーブル２５０は、所定の範囲毎の反応時間区分２５１に対応する、判定２５２、換算値２５３が設定されている。
図１３に例示される誤反応回数換算値テーブル２６０は、実技診断装置１２０で実施される重複作業反応測定テストＭ２の診断結果を評価するために用いられる。
【００４４】
すなわち、この誤反応回数換算値テーブル２６０は、誤反応回数２６１および信号音誤反応回数２６２の区分に対応して、評価に用いられる換算値２６３が設定されている。
図１４に例示される注意の配分換算値テーブル２７０は、実技診断装置１２０で実施される処置判断測定テストＭ３の診断結果を評価するために用いられる。
【００４５】
この注意の配分換算値テーブル２７０は、誤数総計値２７１の区分に対応して換算値２７２が設定されている。
以下、本実施の形態の自動運転適性診断装置、自動運転適性診断方法の作用の一例について説明する。
【００４６】
図１５は、本実施の形態の全体の作用の一例を示すフローチャートである。まず、問診装置１１０の診断結果マスタファイル２８０に過去の診断データ等を必要に応じて実装する（ステップ４１０）。この処理は、問診装置１１０に備えられた自動診断プログラム１４０の診断情報登録・保持機能１４１を用いて実行される。
【００４７】
次に、個々の受診者から問診装置１１０のタッチパネルディスプレイ１１３によって申込書の入力を受け付ける（ステップ４２０）。
その後、当該受診者に対してタッチパネルディスプレイ１１３を用いた問診テスト（診断テストＡ）を実行する（ステップ４３０）。
【００４８】
なお、この問診テスト（診断テストＡ）には、性格テスト（ＴＵＰＩ）、安全態度テスト（Ｓ）、危険感受性テスト（Ｒ）、が含まれる。
このステップ４２０の処理は、問診装置１１０に実装された第１診断テストプログラム１５０の診断申込処理機能１５１によって実行され、ステップ４３０の処理は、問診テスト機能１５２によって実行される。
【００４９】
次に、問診テストを終えた当該受診者に対して実技診断装置１２０を用いた診断テストＢが行われる（ステップ４４０）。この診断テストＢは、実技診断装置１２０に実装された第２診断テストプログラム１６０の実技テスト機能１６１によって実行される。
【００５０】
その後、実技診断装置１２０において、診断結果の出力および受診者に対する自動的な助言が行われる（ステップ４５０）。診断結果の出力や助言は、実技診断装置１２０のディスプレイ１２６に表示して受診者に提示したり、プリンタ１３０から用紙に印刷して受診者に交付される。このステップ４５０の処理は、第２診断テストプログラム１６０の自動助言機能１６２によって実行される。
【００５１】
その後、受診者は、出力された受診データを持ち帰り、必要に応じて事後処理が行われる（ステップ４６０）。
なお、自動運転適性診断装置１００の問診装置１１０と実技診断装置１２０は、自動診断プログラム１４０の診断進行監視機能１４３の管理の下で並行して稼働させることが可能なので、複数の受診者が、問診装置１１０と実技診断装置１２０を並行して使用することにより、診断効率を高めることかできる。
【００５２】
すなわち、図１６に例示されるように、最初の受診者Ｐ１が、問診装置１１０を用いた診断テストＡを終えて、実技診断装置１２０を用いた診断テストＢに移行すると、問診装置１１０は空き状態となるので、後続の受診者Ｐ２に問診装置１１０を使用させることができる。
【００５３】
３名以上の受診者がいる場合には、同様にして、問診装置１１０および実技診断装置１２０を常に並行稼働状態にして受診効率を向上させることができる。
次に、図１７、図１８、図１９、図２０、図２１、図２２、図２３、図２４、図２５のフローチャート等を参照して、本実施の形態の自動運転適性診断装置１００の作用をさらに詳細に説明する。なお、図１７乃至図２５の各フローチャートにおいて、○で囲まれた数字は、特に断らない限り分岐先のステップ番号を示している。また、判定ステップでは、入力待ち時間を制限するタイマがセットされており、所定の時間以上無入力の場合には、前のステップに戻る制御が行われる。
【００５４】
最初に、問診装置１１０が設置される事業所の職員等により、問診装置１１０、実技診断装置１２０、プリンタ１３０の無線ＬＡＮによる接続確認が行われる（ステップ０）。接続確認がＯＫの場合には（ステップ０ａ）、ステップ１に分岐し、ＮＧの場合には（ステップ０ｂ）、ステップ０での再確認、または終了を実行する。
【００５５】
この確認の後、問診装置１１０のタッチパネルディスプレイ１１３にスタートメニューを表示する（ステップ１）。このスタートメニューには、職員用の管理メニューと、一般の受診者用のメニューが表示され、職員用の管理メニューが選択された場合は（ステップ１ａ）は、職員用処理（上述のステップ４１０の処理等）が行われる（ステップ１ｂ）。
【００５６】
ステップ１で、受診者用のメニューが選択された場合には、受診者に対する「あいさつ文」（ステップ２）、自動運転適性診断装置１００による診断に関する説明文の提示や音声出力（ステップ３）が行われる。このように、本実施の形態の自動運転適性診断装置１００は、管理者の立ち会い等を全く必要とすることなく、個々の受診者が一人で、任意の時間に適性診断を受診することができる。
【００５７】
その後、上述のステップ４２０の診断申込書の入力が開始される。この診断申込書の入力では、受診者が所属する事業所の選択（ステップ４、ステップ４ａ）、営業所の選択（ステップ５、ステップ５ｂ）、名字入力（ステップ６、ステップ６ａ）が行われ、名字の入力によって診断結果マスタファイル２８０から登録済みの受診者の一覧を提示して受診者に選択させる（ステップ７、ステップ７ａ）。このとき、一覧にある場合には、生年月日等の入力を省略してステップ１４に分岐する。
【００５８】
ステップ４、ステップ５で、入力された事業所や営業所がない場合には（ステップ４ａ、ステップ５ｂ）、エラーメッセージを表示して（ステップ５ａ）、ステップ１に戻る。ステップ４ａ、ステップ５ｂで所定の時間だけ無入力の場合は、前画面に戻る。ステップ６ａで所定時間入力がない場合は、前のステップ５に戻る。
【００５９】
ステップ７ａで、所定の時間無入力の場合はステップ６に戻り、自分の名前が一覧にない場合には、下名（名前）を入力して、新たに診断結果マスタファイル２８０に登録し（ステップ８、ステップ８ａ、ステップ９、ステップ９ａ）、生年月日の入力を行う（ステップ１０、ステップ１１、ステップ１１ａ、ステップ１２、ステップ１２ａ、ステップ１３、ステップ１３ａ、ステップ１４、ステップ１４ａ）。
【００６０】
ステップ８ａで所定の時間無入力の場合はステップ７に戻る。ステップ９ａで、名前の間違いがある場合はステップ７に戻り、間違いがなく、同姓同名もない場合にはステップ１４に分岐し、間違いがなく、同姓同名がある場合はステップ１０に移行する。
【００６１】
ステップ１１ａ、ステップ１２ａ、ステップ１３ａで所定の時間無入力の場合はステップ１０に戻る。
なお、ステップ１４の名前と生年月日の確認で、間違いがある場合には（ステップ１４ａ）、図２２のステップ１５に分岐して、間違いを確認し、それぞれの間違いに応じて、ステップ６またはステップ１０に分岐して訂正を行う。すなわち、名前と生年月日のどちらも違うか、名前が違う場合には（ステップ１５ａ）、ステップ６に分岐する。生年月日のみが違う場合には（ステップ１５ｂ）、ステップ１０に分岐し、ステップ１５ｂで所定の時間入力がない場合にはステップ１５に戻る。
【００６２】
この後、性別の登録済みか否かの確認を行い（ステップ１４ｂ）、登録済みの場合はステップ３３に分岐する。
このような、氏名、生年月日の入力後、性別が未登録の場合は、性別の確認／入力（ステップ１６）を行う。
【００６３】
この性別の入力後、新規・未登録か判別し（ステップ１６ａ）、新規・未登録の場合は次のステップ１７に移行する。新規・未登録でない場合は、男／女の種別を設定してステップ３３に分岐する。
【００６４】
そして、新規／未登録の場合には、診断回数（ステップ１７）、事業の種類（ステップ１８）、免許の有無（ステップ１９、ステップ１９ａ）、第２種免許の有無（ステップ２０、ステップ２０ａ）、第２種免許大型の有無（ステップ２１、ステップ２１ａ）、第１種免許普通の有無（ステップ２２、ステップ２２ａ）、免許年数の入力（ステップ３１）等を行う。
【００６５】
ステップ１９ａで免許がないと判定された場合は、ステップ３２に分岐する。ステップ２０ａで第２種免許有りと判定された場合はステップ３１に分岐する。ステップ２１ａで第２種大型免許有りと判定された場合は、ステップ３１に分岐する。
【００６６】
そして、以上の入力内容の確認（ステップ３２、ステップ３２ａ）の後、確認不可の場合は、ステップ１６に戻り、確認可の場合は、整理番号を取得し（ステップ３３）、受診状況と受診開始の告知（ステップ３４）と、問診テストの開始の選択を行う（ステップ３４ａ）。
【００６７】
そして、問診テストの開始が選択された場合には、初めての受診か否かを判別し（ステップ３４ｂ）、初めての場合には、図２５に例示されるステップ８１〜ステップ８６を実行して、受診者に対して「心構え」の表示を行う。
【００６８】
その後、タッチパネルディスプレイ１１３を用いて、性格テスト（ステップ４２）、安全態度テスト（ステップ４３）、危険感受性テスト（ステップ４４）を順次実行する。
なお、本実施の形態の質問ファイル２１０（第１質問文テーブル２１１〜第６質問文テーブル２１６）は、性格テスト（ＴＵＰＩ）に関するものであり、同様にして、安全態度テスト（Ｓ）、危険感受性テスト（Ｒ）も行われる。
【００６９】
この問診装置１１０におけるタッチパネルディスプレイ１１３を用いた問診テストでは、図２６に例示されるように、タッチパネルディスプレイ１１３に、質問欄３１１、はいボタン３１２、いいえボタン３１３、わからないボタン３１４を表示し、質問欄３１１には、質問ファイル２１０の質問文２１０ｂを表示して、受診者の答え（「はい」（はいボタン３１２）、「いいえ」（いいえボタン３１３）、「わからない」（わからないボタン３１４））を記録することで診断が行われる。
【００７０】
なお、これらの各テストの途中で、診断の中断の画面表示および受診者の入力による中断有無を判別し（ステップ４７ａ、ステップ４７ａ−１、ステップ４７ｂ、ステップ４７ｂ−１、ステップ４７ｃ、ステップ４７ｃ−１）、受診者によって中断が選択された場合には、図２３のステップ４８に分岐して中断確認を実行し（ステップ４８ａ）、中断が指示された場合には、診断を中断して（ステップ４９）、上述のステップ１に戻る。
【００７１】
また、ステップ４８ａで中断が指示されなかった場合には、元のステップ４７ａ、ステップ４７ｂ、ステップ４７ｃに戻る。
こうして、問診装置１１０のタッチパネルディスプレイ１１３を用いた、性格テスト、安全態度テスト、危険感受性テスト、等の診断テストＡを完了した後、実技診断装置１２０を用いた診断テストＢの開始確認を行う（ステップ６０）。
【００７２】
そして、開始が選択された場合には（ステップ６０ａ）、実技診断装置１２０を用いた診断テストＢを実行し（ステップ６１）、完了後に、ステップ３４に戻る。ステップ６０ａで終了が選択された場合は、ステップ３４に戻る。
【００７３】
図２７に、この実技診断装置１２０を用いた診断テストＢの一例を示す。この図２７では、平均見越反応時間計測テストＭ１の例が示されている。
すなわち、実技診断装置１２０のディスプレイ１２６に、移動路３２１と、この移動路３２１の左端側に、当該移動路３２１の一部を隠蔽する遮蔽部３２２を表示する。移動路３２１には、右端側から左端側に移動する移動体３２３が表示される。
【００７４】
受診者は、移動路３２１を右端側から左端側に移動する移動体３２３を注視し、遮蔽部３２２に隠れた移動体３２３が移動路３２１の左端に出現するタイミングを予測して、たとえば、右手ボタン１２７ｂを押下する。
【００７５】
実技診断装置１２０の第２診断テストプログラム１６０は、実際の移動体３２３の遮蔽部３２２から出現タイミングと、受診者による予測タイミング（右手ボタン１２７ｂの押下）の時間差（尚早／遅延の度合い）を測定して記録する。
【００７６】
なお、特に図示しないが、実技診断装置１２０を用いる診断テストＢとしては、上述の平均見越反応時間計測テストＭ１の他に、重複作業反応測定テストＭ２と、処置判断測定テストＭ３も行われる。
【００７７】
重複作業反応測定テストＭ２は、たとえば、ディスプレイ１２６に表示される色が、「赤」、「青」、「黄」の各々の場合に、左手ボタン１２７ａ、右手ボタン１２７ｂ、ペダル１２９、をそれぞれ操作するように受診者に指示し、ディスプレイ１２６に表示される色をランダムに変化させた時の受診者の、左手ボタン１２７ａ、右手ボタン１２７ｂ、ペダル１２９の誤操作（誤反応）の回数を記録するものである。同様に、色の代わりに異なる音を聞かせて、同様の試験を行うこともできる。
【００７８】
また、処置判断測定テストＭ３は、ディスプレイ１２６を縦に二分した画面の各々に、互いに逆方向に移動する物体を表示するとともに、その各々に、ハンドル１２８の左右方向の回動操作に連動して画面内を左右に移動するマーカを表示し、物体および画面側端にマーカが衝突しないように受診者にハンドル１２８による回避操作を行わせ、左右の画面でのマーカと物体の衝突回数等を計測するものである。なお、この衝突回数は、注意の配分換算値テーブル２７０の所定の評価値（Ｅｔ）に変換されて換算値の決定に用いられる。
【００７９】
このような問診装置１１０を用いた診断テストＡおよび実技診断装置１２０を用いた診断テストＢが終了して上述のステップ３４のメニューに戻ると、受診者は、診断票の出力を選択する（ステップ３４ａ）。
【００８０】
これにより、図２４に例示されるステップ７０に分岐し、適性診断票の生成を行う。この場合、適性診断票を、単に実技診断装置１２０のディスプレイ１２６に表示するだけでもよいし（ステップ７０ａ）、プリンタ１３０を用いて印刷してもよい（ステップ７０ｂ）。
【００８１】
この適性診断票の生成は、自動診断プログラム１４０の診断結果処理機能１４２が行う。
図２８は、このステップ７０の適性診断票の生成処理の一例を示すフローチャートである。
【００８２】
診断結果処理機能１４２は、上述の問診装置１１０において実施された診断テストＡのデータを集計し（ステップ４５１）、換算値算出テーブル２３０とのマッチングを行うことで（ステップ４５２）、換算値２３２を決定する（ステップ４５３）。
【００８３】
なお、図１０に例示される粗点は、第１質問文テーブル２１１〜第６質問文テーブル２１６の各々毎における、個々の質問文２１０ｂに設定された応答別配点値２１０ｃの集計値であるが、応答別配点値２１０ｃを用いる代わりに、図９に例示されるように、個々の実施事業者等において、各質問番号に対応した「はい」、「いいえ」、「？：わからない」に応じた配点の重みを適宜変更することもできる。
【００８４】
さらに、診断結果処理機能１４２は、上述の実技診断装置１２０にて実施された当該受診者に関する平均見越反応時間計測テストＭ１、重複作業反応測定テストＭ２、処置判断測定テストＭ３のデータを集計し（ステップ４５４）、それぞれ、平均見越反応時間換算値テーブル２５０、誤反応回数換算値テーブル２６０、注意の配分換算値テーブル２７０とマッチングして（ステップ４５５）、換算値２５３、換算値２６３、換算値２７２を得る（ステップ４５６）。
【００８５】
その後、診断テストＡと診断テストＢの換算値と総合所見判定テーブル２４０の判定基準２４３をマッチングし（ステップ４５７）、総合所見記載文章２４２（総合判定分類２４１）を決定する（ステップ４５８）。
【００８６】
こうして得られた適性診断の結果を、図２９および図３０に例示される適性診断結果として、画面や紙に出力する（ステップ４５９）。
すなわち、図２９の［１］総合所見は、総合所見判定テーブル２４０から得られた総合所見記載文章２４２に対応している。また、［２］心理適性診断の結果、の（１）〜（６）の項目は、換算値算出テーブル２３０の尺度名２３１、換算値２３２、さらには、に対応している。また、（７）〜（９）の項目は、平均見越反応時間換算値テーブル２５０、誤反応回数換算値テーブル２６０、注意の配分換算値テーブル２７０の換算値２５３、換算値２６３、換算値２７２、に対応している。
【００８７】
また、図３０の［３］の各コメントは、換算値算出テーブル２３０の尺度名２３１と換算値２３２の組み合わせ毎に設けられて図示しないコメント群から出力される。
なお、この［３］の各コメントは、受診者に対する助言として、実技診断装置１２０の第２診断テストプログラム１６０に実装された自動助言機能１６２により、個々の受診者に、ディスプレイ１２６での表示出力や、音声インタフェース１２６ａを用いた音声出力によって提示される。
【００８８】
また、図３１に例示されるように、診断結果マスタファイル２８０に保存されている過去の記録に基づいて、過去の履歴も受診者に提示することができる。
図３１の例では、過去３回分と今回の受診結果が、図２９の［２］の（１）〜（９）の各項目別に表示されている。
【００８９】
以上説明したように、本実施の形態の自動運転適性診断装置、自動運転適性診断方法によれば、たとえば、自動運転適性診断装置１００を、受診者の勤務する各事業所等に貸し出して設置することで、簡便に適性診断を実施できる。
【００９０】
すなわち、自動運転適性診断装置１００の指示に従っていけば、個々の受診者が一人で受診でき、診断に必要なことがらは、すべて自動運転適性診断装置１００の画面（タッチパネルディスプレイ１１３、ディスプレイ１２６）の文字と音声で案内するので、管理者が立ち会う必要もない。また、自動的に診断結果の集計および受診者への提示が行われるので、完全に完結した適性診断を、任意の場所で実現できる。
【００９１】
また、全くはじめて適性診断を受ける場合であっても、一人で受診することができる。安全運転の参考のために、診断結果を印刷して受診者に交付することができる。
この結果、受診者および実施者の双方に負担を掛けることなく、効率的な適性診断を実施することが可能となる。
【００９２】
また、実技診断装置１２０等の特定のハードウェアを使用する実技試験を含む適性診断を効率的に実施することができる。
なお、本発明は、上述の実施の形態に例示した構成に限らず、その趣旨を逸脱しない範囲で種々変更可能であることは言うまでもない。
【図面の簡単な説明】
【００９３】
【図１】本発明の一実施の形態である自動運転適性診断装置の構成の一例を示す概念図である。
【図２】本発明の一実施の形態である自動運転適性診断装置の作用の一例を示すシーケンス図である。
【図３】本発明の一実施の形態である自動運転適性診断装置の問診にて用いられる第１質問文テーブルの構成の一例を示す説明図である。
【図４】本発明の一実施の形態である自動運転適性診断装置の問診にて用いられる第２質問文テーブルの構成の一例を示す説明図である。
【図５】本発明の一実施の形態である自動運転適性診断装置の問診にて用いられる第３質問文テーブルの構成の一例を示す説明図である。
【図６】本発明の一実施の形態である自動運転適性診断装置の問診にて用いられる第４質問文テーブルの構成の一例を示す説明図である。
【図７】本発明の一実施の形態である自動運転適性診断装置の問診にて用いられる第５質問文テーブルの構成の一例を示す説明図である。
【図８】本発明の一実施の形態である自動運転適性診断装置の問診にて用いられる第６質問文テーブルの構成の一例を示す説明図である。
【図９】本発明の一実施の形態である自動運転適性診断装置の問診結果を評価する尺度別採点盤作成テーブルの一例を示す説明図である。
【図１０】本発明の一実施の形態である自動運転適性診断装置の問診結果を評価するための換算値算出テーブルの構成の一例を示す説明図である。
【図１１】本発明の一実施の形態である自動運転適性診断装置における総合的な診断結果を評価する総合所見判定テーブルの構成の一例を示す説明図である。
【図１２】本発明の一実施の形態である自動運転適性診断装置における平均見越反応時間計測テストを評価する平均見越反応時間換算値テーブルの構成の一例を示す説明図である。
【図１３】本発明の一実施の形態である自動運転適性診断装置における重複作業反応測定テストを評価する誤反応回数換算値テーブルの構成の一例を示す説明図である。
【図１４】本発明の一実施の形態である自動運転適性診断装置における処置判断測定テストを評価する注意の配分換算値テーブルの構成の一例を示す説明図である。
【図１５】本発明の一実施の形態である全体の作用の一例を示すフローチャートである。
【図１６】本発明の一実施の形態である全体の作用の変形例を示すフローチャートである。
【図１７】本発明の一実施の形態である自動運転適性診断装置の作用の一例を示すフローチャートである。
【図１８】本発明の一実施の形態である自動運転適性診断装置の作用の一例を示すフローチャートである。
【図１９】本発明の一実施の形態である自動運転適性診断装置の作用の一例を示すフローチャートである。
【図２０】本発明の一実施の形態である自動運転適性診断装置の作用の一例を示すフローチャートである。
【図２１】本発明の一実施の形態である自動運転適性診断装置の作用の一例を示すフローチャートである。
【図２２】本発明の一実施の形態である自動運転適性診断装置の作用の一例を示すフローチャートである。
【図２３】本発明の一実施の形態である自動運転適性診断装置の作用の一例を示すフローチャートである。
【図２４】本発明の一実施の形態である自動運転適性診断装置の作用の一例を示すフローチャートである。
【図２５】本発明の一実施の形態である自動運転適性診断装置の作用の一例を示すフローチャートである。
【図２６】本発明の一実施の形態である自動運転適性診断装置における問診装置の画面の一例を示す説明図である。
【図２７】本発明の一実施の形態である自動運転適性診断装置における実技診断装置の画面の一例を示す説明図である。
【図２８】本発明の一実施の形態である自動運転適性診断装置における適性診断票の生成処理の一例を示すフローチャートである。
【図２９】本発明の一実施の形態である自動運転適性診断装置において出力される適性診断結果の一例を示す説明図である。
【図３０】本発明の一実施の形態である自動運転適性診断装置において出力される適性診断結果の一例を示す説明図である。
【図３１】本発明の一実施の形態である自動運転適性診断装置において出力される適性診断結果の一例を示す説明図である。
【符号の説明】
【００９４】
１００  自動運転適性診断装置
１１０  問診装置（第１診断装置）
１１１  マイクロプロセッサ（第１情報処理手段）
１１２  主記憶（第１記憶手段）
１１３  タッチパネルディスプレイ
１１４  外部記憶装置（第１記憶手段）
１１５  ネットワークインタフェース（通信手段）
１１６  音声インタフェース
１２０  実技診断装置（第２診断装置）
１２１  マイクロプロセッサ（第２情報処理手段）
１２２  主記憶（第２記憶手段）
１２３  外部記憶装置（第２記憶手段）
１２４  ネットワークインタフェース（通信手段）
１２５  操作盤
１２６  ディスプレイ
１２６ａ  音声インタフェース
１２７  操作パネル
１２７ａ  左手ボタン
１２７ｂ  右手ボタン
１２７ｃ  数字ボタン
１２７ｄ  はいボタン
１２７ｅ  いいえボタン
１２７ｆ  速度ボタン
１２７ｇ  ボリューム
１２８  ハンドル
１２９  ペダル
１３０  プリンタ
１４０  自動診断プログラム
１４１  診断情報登録・保持機能
１４２  診断結果処理機能
１４３  診断進行監視機能
１５０  第１診断テストプログラム
１５１  診断申込処理機能
１５２  問診テスト機能
１６０  第２診断テストプログラム
１６１  実技テスト機能
１６２  自動助言機能
２１０  質問ファイル
２１０ａ  質問番号
２１０ｂ  質問文
２１０ｃ  応答別配点値
２１１  第１質問文テーブル
２１２  第２質問文テーブル
２１３  第３質問文テーブル
２１４  第４質問文テーブル
２１５  第５質問文テーブル
２１６  第６質問文テーブル
２２０  尺度別採点盤作成テーブル
２２１  尺度項目
２２２  該当質問番号
２２３  応答別配点部
２３０  換算値算出テーブル
２３１  尺度名
２３２  換算値（第１換算値）
２４０  総合所見判定テーブル
２４１  総合判定分類
２４２  総合所見記載文章
２４３  判定基準
２５０  平均見越反応時間換算値テーブル
２５１  反応時間区分
２５２  判定
２５３  換算値（第２換算値）
２６０  誤反応回数換算値テーブル
２６１  誤反応回数
２６２  信号音誤反応回数
２６３  換算値（第２換算値）
２７０  注意の配分換算値テーブル
２７１  誤数総計値
２７２  換算値（第２換算値）
２８０  診断結果マスタファイル
３１１  質問欄
３１２  はいボタン
３１３  いいえボタン
３１４  わからないボタン
３２１  移動路
３２２  遮蔽部
３２３  移動体
Ａ  診断テスト
Ｂ  診断テスト
Ｍ１  平均見越反応時間計測テスト
Ｍ２  重複作業反応測定テスト
Ｍ３  処置判断測定テスト
Ｐ１  受診者
Ｐ２  受診者
【図１】
2008083552.tif 000003
【図３】
2008083552.tif 000004
【図４】
2008083552.tif 000005
【図５】
2008083552.tif 000006
【図６】
2008083552.tif 000007
【図７】
2008083552.tif 000008
【図８】
2008083552.tif 000009
【図９】
2008083552.tif 000010
【図１０】
2008083552.tif 000011
【図１１】
2008083552.tif 000012
【図１２】
2008083552.tif 000013
【図１３】
2008083552.tif 000014
【図１４】
2008083552.tif 000015
【図１８】
2008083552.tif 000016
【図１９】
2008083552.tif 000017
【図２０】
2008083552.tif 000018
【図２１】
2008083552.tif 000019
【図２２】
2008083552.tif 000020
【図２３】
2008083552.tif 000021
【図２４】
2008083552.tif 000022
【図２５】
2008083552.tif 000023
【図２６】
2008083552.tif 000024
【図２７】
2008083552.tif 000025
【図２８】
2008083552.tif 000026
【図３０】
2008083552.tif 000027
【図２】
2008083552.tif 000028
【図１５】
2008083552.tif 000029
【図１６】
2008083552.tif 000030
【図１７】
2008083552.tif 000031
【図２９】
2008083552.tif 000032
【図３１】
2008083552.tif 000033